(57)【特許請求の範囲】
【請求項１】
ＴＶ放送受信装置であって、
所定の検出範囲内に人物がいるか否かを検知する第１の検知手段と、
放送映像を表示する表示部に表示していた第１チャンネルの番組が終了して、第１チャンネルの番組が切り替わったことを検知する第２の検知手段と、
前記第１の検知手段により前記所定の範囲内に人物がいることが検知され、かつ前記第２の検知手段により前記第１チャンネルの番組の切り替わりが検知された場合と、前記第１の検知手段により前記所定の範囲内に人物がいないことが検知され、かつ前記第２の検知手段により前記第１チャンネルの番組の切り替わりが検知されない場合とにおいて、前記第１チャンネルの番組の映像及び、前記第１チャンネルと異なる所定のチャンネルの番組の映像を前記表示部に表示するように制御する制御手段と、
を有することを特徴とするＴＶ放送受信装置。
【請求項２】
前記所定のチャンネルは、前記第１チャンネルと異なる複数のチャンネルからなり、
前記制御手段は、前記複数のチャンネルを順次スキャンして得られた映像を前記表示部に表示するように制御する
ことを特徴とする請求項１に記載のＴＶ放送受信装置。
【請求項３】
前記第１チャンネルの番組の映像及び、前記第１チャンネルと異なる所定のチャンネルの番組の映像が前記表示部に表示された後、前記第１の検知手段により前記所定の範囲内に人物がいないことが検知された場合は、前記制御手段は、所定時間経過後に前記表示部に表示する映像の輝度を低下させて表示するように制御することを特徴とする請求項１又は２に記載のＴＶ放送受信装置。
【請求項４】
前記第１チャンネルの番組の映像及び、前記第１チャンネルと異なる所定のチャンネルの番組の映像が前記表示部に表示された後、前記第１の検知手段により前記所定の範囲内に人物がいないことが検知された場合は、前記制御手段は、所定時間経過後に前記表示部に表示する映像のフレームレートを通常表示時に比べて低下させて表示するように制御することを特徴とする請求項１乃至３のいずれか一項に記載のＴＶ放送受信装置。
【請求項５】
前記第１チャンネルの番組の映像及び、前記第１チャンネルと異なる所定のチャンネルの番組の映像が前記表示部に表示された後、所定時間経過後に、前記制御手段は、前記第１チャンネルの番組の映像のみを前記表示部に表示するように制御することを特徴とする請求項１又は２に記載のＴＶ放送受信装置。
【請求項６】
ＴＶ放送受信装置の制御方法であって、
所定の検出範囲内に人物がいるか否かを検知する第１の検知工程と、
放送映像を表示する表示部に表示していた第１チャンネルの番組が終了して、第１チャンネルの番組が切り替わったことを検知する第２の検知工程と、
前記第１の検知工程により前記所定の範囲内に人物がいることが検知され、かつ前記第２の検知工程により前記第１チャンネルの番組の切り替わりが検知された場合と、前記第１の検知工程により前記所定の範囲内に人物がいないことが検知され、かつ前記第２の検知工程により前記第１チャンネルの番組の切り替わりが検知されない場合とにおいて、前記第１チャンネルの番組の映像及び、前記第１チャンネルと異なる所定のチャンネルの番組の映像を前記表示部に表示するように制御する制御工程と、
を有することを特徴とするＴＶ放送受信装置の制御方法。
【発明の詳細な説明】
【０００１】
【発明の属する技術分野】
本発明は、ＴＶ放送受信装置およびその制御方法に関する。
【０００２】
【従来の技術】
従来、パーソナルコンピュータ等では一定時間操作されないと自動で待機状態（スリープモード）に移行することにより省電力化を実現している。最近では省電力型の赤外線センサなどを装備し、機器の前に人がいるかどうかを検知してスリープモードに移行し、もしくはオン／オフ制御を行う装置も商品化されている。
【０００３】
そして、特開平７−２３５３８３号公報には、パーソナルコンピュータに限らず、一般の機器においても、機器の前に人がいるかいないかを検知して電源のＯＮ／ＯＦＦを制御する「パーソナル電気機器の自動ＯＮ／ＯＦＦ装置」が開示されている。
【０００４】
また、特開昭６２−２７５５号公報には、ＣＡＴＶなどのようなネットワークを擁する機器においてセンタから各端末のＯＮ／ＯＦＦ制御を行う「ＣＡＴＶシステムにおける端末装置の周期的な電源切断装置」が開示されている。
【０００５】
【発明が解決しようとしている課題】
しかしながら、上記特開平７−２３５３８３号公報の「パーソナル電気機器の自動ＯＮ／ＯＦＦ装置」では、その制御対象となる機器の電源を単にＯＮ／ＯＦＦ制御するのみであるので、ＴＶ放送受信装置をその制御対象として選んだ場合にも、ただ単に電源のオン／オフ制御がなされるだけであるが、ＴＶ放送受信装置では、このような単純なＯＮ／ＯＦＦ制御だけでは充分とはいえず、この点に改良の余地があった。
【０００６】
たとえば、長い間席を外していたりすると今まで視聴していた番組が終わってしまっている場合があり、再び視聴を再開する際に必ずしも以前視聴していた状態であることが望ましいとは限らない。この場合、ユーザにとっては新たにチャンネル選択をする必要があるのでチャンネル選択がしやすい画面表示であることが望ましい。
【０００７】
また、ＴＶ放送受信装置は他の作業を行いながら使用される場合が多いため、上記「パーソナル電気機器の自動ＯＮ／ＯＦＦ装置」を用いて電源のオン／オフ制御を行うと、頻繁に電源のオン／オフが繰り返され快適な視聴の妨げになってしまう。すなわち、「パーソナル電気機器の自動ＯＮ／ＯＦＦ装置」では機器の前に人がいるかいないかだけで判断するので、少し席をはずしただけでも電源がオフ状態になってしまい、この制御方法をＴＶ放送受信装置に適用すると、継続的な視聴の妨げになってしまうことが考えられる。
【０００８】
また、上記特開昭６２−２７５５号公報の「ＣＡＴＶシステムにおける端末装置の周期的な電源切断装置」では、ＴＶ放送受信装置をひとつの端末機器としてとらえ電源制御を集中的に行うが、これはＣＡＴＶなどのネットワークを用いた機器に適用されるものであり、一般的な家庭のＴＶ放送受信装置の省電力制御には向いていない。
【０００９】
本発明は、以上の点に着目してなされたものであり、ユーザが見ているチャンネルの番組が終了して次の番組へ切り替わった場合や、ユーザが見ているチャンネルの番組は終了していないがユーザが所定の範囲内にいない場合に、ユーザが見ていたチャンネルの以外のチャンネルの番組を容易に把握することが可能なＴＶ放送受信装置およびその制御方法を提供することを目的とする。
【００１０】
【課題を解決するための手段】
上記目的を達成するため、請求項１に記載のＴＶ放送受信装置は、ＴＶ放送受信装置であって、所定の検出範囲内に人物がいるか否かを検知する第１の検知手段と、放送映像を表示する表示部に表示していた第１チャンネルの番組が終了して、第１チャンネルの番組が切り替わったことを検知する第２の検知手段と、前記第１の検知手段により前記所定の範囲内に人物がいることが検知され、かつ前記第２の検知手段により前記第１チャンネルの番組の切り替わりが検知された場合と、前記第１の検知手段により前記所定の範囲内に人物がいないことが検知され、かつ前記第２の検知手段により前記第１チャンネルの番組の切り替わりが検知されない場合とにおいて、前記第１チャンネルの番組の映像及び、前記第１チャンネルと異なる所定のチャンネルの番組の映像を前記表示部に表示するように制御する制御手段と、を有することを特徴とする。
【００２８】
上記目的を達成するため、請求項６に記載のＴＶ放送受信装置の制御方法は、ＴＶ放送受信装置の制御方法であって、所定の検出範囲内に人物がいるか否かを検知する第１の検知工程と、放送映像を表示する表示部に表示していた第１チャンネルの番組が終了して、第１チャンネルの番組が切り替わったことを検知する第２の検知工程と、前記第１の検知工程により前記所定の範囲内に人物がいることが検知され、かつ前記第２の検知工程により前記第１チャンネルの番組の切り替わりが検知された場合と、前記第１の検知工程により前記所定の範囲内に人物がいないことが検知され、かつ前記第２の検知工程により前記第１チャンネルの番組の切り替わりが検知されない場合とにおいて、前記第１チャンネルの番組の映像及び、前記第１チャンネルと異なる所定のチャンネルの番組の映像を前記表示部に表示するように制御する制御工程と、を有することを特徴とする。
【００６４】
【発明の実施の形態】
以下、本発明の実施の形態を図面に基づいて詳細に説明する。
【００６５】
（第１の実施の形態）
図１は、本発明の第１の実施の形態に係るＴＶ放送受信装置の概略構成を示すブロック図である。
【００６６】
同図において、本実施の形態のＴＶ放送受信装置は、センサ１と、受光部２と、リモコン３と、ＣＰＵ４と、電源制御装置５と、表示制御装置６と、表示装置７と、第１のチューナ８と、第２のチューナ９と、番組情報取得部１０と、メモリ１１とにより構成されている。
【００６７】
リモコン３は、ユーザ操作による各種入力を受け付ける。
【００６８】
リモコン３から発光された赤外線信号は、受光部２によって受信され、ＣＰＵ４に供給される。
【００６９】
ＣＰＵ４は、ユーザの指示に従ってチャンネル切替え、ボリューム調整および各種設定値変更等を行う。
【００７０】
センサ１は、本装置の前に視聴者がいるか否かを検知する。
【００７１】
図２および図３は、それぞれセンサ１の具体例を示す図である。
【００７２】
図２において、センサ１ａは、省電力型の赤外線センサであり、たとえば表示装置７の前面に取付けられている。この赤外線センサ１ａは、検出範囲内の体温を持つ人体を検出するものであり、このセンサ１ａにより、表示装置７の前に人がいるか否かを検出することが可能となる。
【００７３】
図３において、センサ１ｂは、シート状の加圧センサである。このシートの上に人が乗ることによりセンサ１ｂが人体を検知し、その検出信号がＣＰＵ４に伝達される。
【００７４】
以上のように構成されたＴＶ放送受信装置が実行する制御動作を、本装置の前に視聴者がいる場合と、視聴者がいない場合とに分けて説明する。
【００７５】
まず、視聴者がいる場合について説明する。
【００７６】
第１のチューナ８は、受信中の番組から番組情報を抽出し、番組情報取得部１０にその番組情報を伝える。番組情報取得部１０は、その番組情報を一旦メモリ１１に格納する。さらに、番組情報取得部１０は、随時抽出される番組情報とメモリ１１に格納された情報とを比較しその結果が異なった場合、つまり今まで視聴していた番組が終了して次の番組へ切り替わった場合、その「番組切り替わり」情報をＣＰＵ４に通知する。
【００７７】
ＣＰＵ４は、「番組が切り替わった」旨の情報を受信すると、表示制御装置６に対して、たとえば図４に示すようなマルチ画面を表示装置７上に表示させるような命令を出力する。
【００７８】
図４は、表示装置７上に、たとえば９つの画面をマルチ画面表示させた場合の表示例を示す図である。
【００７９】
同図において、中央の画面は、今まで視聴者が視聴していたチャンネルの画面であり、第１のチューナ８によって受信されている画像である。この画面は他の画面と区別するために太枠表示されている。
【００８０】
一方、その周りの他の画面は、第２のチューナ９によって受信された画像であり、第１のチューナ８で受信されているチャンネル以外のチャンネルを順次スキャンして表示している。このため、中央の画面はリアルタイムで動いている画面が表示されているが、その他の画面は数秒毎に動いている画面が順次切り替わって行くようになっている。
【００８１】
このマルチ画面表示により、視聴者は、今まで視聴していたチャンネル以外のチャンネルでどんな番組が放送されているかを知ることができる。また、このマルチ画面表示時に、視聴者は、リモコン３からキー操作を行うことによって容易に他のチャンネルを選択することができる。
【００８２】
図５は、リモコン３の外観の一例を示す図である。
【００８３】
同図において、リモコン３は、発光部３１と、テンキー３２と、アップダウンキー３３と、カーソルキー３４とにより構成されている。
【００８４】
テンキー３２は、ダイレクト選局や数値入力のために使用される。
【００８５】
アップダウンキー３３は、音量調整やチャンネル選局、または各種ユーザ設定を行うために使用される。
【００８６】
カーソルキー３４は、各種ユーザ設定やメニュー選択のために使用される。また、前記マルチ画面表示時にチャンネル選択を行うためにも使われる。
【００８７】
このマルチ画面表示は、ユーザのキー入力がなければ、数秒後に第１のチューナ８で受信されているチャンネルの全画面表示に切り替わる。このときの切り替わりまでの時間は、ユーザにより予め設定可能であるとする。
【００８８】
その間に、もしカーソルキー３４によるユーザのチャンネル操作があれば、その操作に従って第１のチューナ８で受信されているチャンネルも変化する。つまり、図４のマルチ画面表示の中央の枠付きのリアルタイム表示画面が順次切り替わって行く。そして、そのまま次の入力がなければ、数秒後に中央の画面の全画面表示に切り替わる。
【００８９】
また、マルチ画面表示時にテンキー３２もしくはアップダウンキー３３によるチャンネル操作があった場合は、入力を受け付けると直ちにそのチャンネルの全画面表示に切り替わる。
【００９０】
以上が、センサ１によって「視聴者がいる」と検知された場合の制御動作である。
【００９１】
次に、センサ１によって「視聴者がいない」と検知された場合の制御について説明する。
【００９２】
ＴＶ放送受信装置の前に視聴者がいない場合、センサ１は、「視聴者がいない」旨の情報をＣＰＵ４に伝達する。
【００９３】
ＣＰＵ４は、表示制御装置６に命令を出力し、表示装置７の表示を図４に示すようなマルチ画面表示に切替える。このときの表示の切替えのオン／オフはユーザにより予め設定が可能であるとする。
【００９４】
この状態で、センサ１が、視聴者が戻ってきたことを検知すると、「視聴者がいる」という情報をＣＰＵ４に伝達し、ＣＰＵ４は、表示制御装置６に命令を出力して、直ちに今まで視聴者が視聴していた表示状態に戻す。
【００９５】
もし、視聴者が戻って来ない場合には、ＣＰＵ４は、「視聴者がいない」という情報を保持し、さらに番組情報取得部１０から「番組が切り替わった」という情報が出力されると、今度は電源制御装置５に命令を出力し、サブ電源をオフ状態（リモコン３およびセンサ１の受信が行える最小通電状態）にする。
【００９６】
サブ電源がオフ状態のときに、視聴者が戻って来ると、センサ１は、「視聴者がいる」という情報をＣＰＵ４に伝達し、ＣＰＵ４は、電源制御装置５に命令を出して直ちにサブ電源をオン状態にする。
【００９７】
このときの表示装置７の表示は、図４に示すようなマルチ画面表示であり、視聴者はこの画面を見ながらチャンネルの選択ができるようになっている。
【００９８】
もしここで、予めユーザにより設定された一定時間、何の入力もなければ自動的に第１のチューナ８で受信されている中央の画面のフル画面表示に切り替える。
【００９９】
図６は、本実施の形態のＴＶ放送受信装置が実行する制御状態の変化をまとめた図である。
【０１００】
同図に示すように、本装置では、「視聴者がいる／いない」と「番組が切り替わった／切り替わっていない」という二つの条件を監視し、その状態によって表示装置７の表示画面を変化させている。
【０１０１】
なお、図６には示されていないが、サブ電源がオフ状態から復帰した場合は、一旦マルチ画面表示となり、何の入力もなければ数秒後に通常表示に復帰し、カーソルキー３４以外の入力があった場合は、直ちに通常画面に復帰する。
【０１０２】
また、本実施の形態では、「視聴者がいる／いない」と「番組が切り替わった／切り替わっていない」という二つの条件を監視し、その状態によって表示装置７の表示画面を変化させるようにしたが、これに限らず、「視聴者がいる／いない」の一つの条件のみを監視し、その状態によって表示装置７の表示画面を変化させるようにしてもよい。すなわち、視聴者がいなくなると、番組が切り替わったかどうかに拘わらず、すぐにマルチ画面表示に切り替えるようにしてもよい。
【０１０３】
（第２の実施の形態）
図７は、本発明の第２の実施の形態に係るＴＶ放送受信装置の概略構成を示すブロック図である。
【０１０４】
同図に示すように、本実施の形態のＴＶ放送受信装置は、上記図１の第１の実施の形態のＴＶ放送受信装置に対して、第２のチューナ９に代えて外部画像入力装置２１を設けるようにした点のみが異なっている。したがって、図７中、図１と同様の構成要素には同一符号を付し、その説明を省略する。
【０１０５】
本実施の形態のＴＶ放送受信装置が実行する基本的な制御動作は、上記第１の実施の形態のＴＶ放送受信装置と同様である。
【０１０６】
本実施の形態では、上記第１の実施の形態におけるマルチ画面表示の代わりに外部画像入力を用いている。ただし「視聴者がいる状態」且つ「番組が切り替わった」場合には表示の変化は行われない。
【０１０７】
本実施の形態では、「視聴者がいない状態」且つ「番組が切り替わった」場合に、一旦外部画像入力装置２１から入力される外部画像に切り替えるようにしている。
【０１０８】
この画面に切り替えることによって省電力化を図るとともに、視聴者が再び視聴を再開する前に視聴者にＴＶ放送以外の情報を提供するようにしている。
【０１０９】
外部画像としては、たとえばインターホン画面が用いられる。
【０１１０】
この場合、インターホン画面はフル画面表示をしなくてもだいたいの内容はわわかるので、ユーザの好みによりその表示画面の大きさが設定可能であるとする。
【０１１１】
また、通常のＴＶ放送画面のように随時画面を書き換える必要がないので、フレームレートを落として表示させることも可能である。
【０１１２】
さらには、その表示枠を移動させることによって、表示装置７の焼き付き防止にも役立てることができる。
【０１１３】
図８は、本実施の形態のＴＶ放送受信装置を適用したシステム構成の一例および、表示装置７上に表示されたインターホン画面の一例を示す図である。
【０１１４】
同図において、本システムは、本実施の形態のＴＶ放送受信装置（その外観である表示装置７が図示されている）と、インターホンカメラ１０１とによって構成されている。
【０１１５】
また、同図には、表示装置７上にインターホン画面７ａが表示され、さらに、玄関のドア１０２および来訪者も図示されている。
【０１１６】
本実施の形態のＴＶ放送受信装置が省電力モードになると、インターホンカメラ１０１から送信されて来る画像が、インターホン画面７ａとして表示される。このとき、ドア１０２の前に来訪者１０３がいれば、来訪者１０３がインターホン画面７ａに表示される。
【０１１７】
また、本実施の形態では、インターホン画面の例を示したが、これに限らず、カメラの設置場所は他の部屋や庭などとしてもよい。
【０１１８】
なお、本実施の形態では、「視聴者がいない状態」且つ「番組が切り替わった」場合に、外部画像に切り替えるようにしているようにしているが、これに限らす、番組が切り替わった」かどうかに拘わらず、「視聴者がいない状態」の場合に、外部画像に切り替えるようにしているようにしてもよい。
【０１１９】
（第３の実施の形態）
図９は、本発明の第３の実施の形態に係るＴＶ放送受信装置の概略構成を示すブロック図である。なお、同図中、図１と同様の構成要素には同一符号を付している。
【０１２０】
同図において、本実施の形態のＴＶ放送受信装置は、センサ１と、受光部２と、リモコン３と、ＣＰＵ４と、タイマ２２と、明るさ調整装置２３と、表示装置７と、電源制御装置５とによって構成されている。
【０１２１】
視聴者がＴＶを見ている状態では、視聴者のリモコン３の操作により受光部２がその命令を受信してＣＰＵ４に伝達する。
【０１２２】
これにより、チャンネル切替えやサブ電源オフ状態（ＡＣ電源ではなく、リモコンの命令を受けられる最小通電状態）等の操作が可能である。このときのサブ電源のオン／オフ操作は、ＣＰＵ４の命令により、電源制御装置５にて行われる。
【０１２３】
センサ１は、視聴者の動きを検知し、ＴＶ放送受信装置の前に人がいるか否かをＣＰＵ４に通知する。
【０１２４】
ＣＰＵ４は、視聴者がいなくなるとタイマ２２に信号を出力し、タイマ２２による時間の計時を開始させる。この後、視聴者が戻って来たという情報がセンサ１から供給されるまで、タイマ２２は、経過時間をカウントする。視聴者が戻って来た場合には、その時点でタイマ２２はリセットされる。
【０１２５】
視聴者が戻って来ない場合は、ＣＰＵ４は、タイマ２２を監視し続け、ユーザが予め設定しておいた時間が経過すると、明るさ調整装置２３に信号を出力して、表示装置７に対する省電力制御を行う。
【０１２６】
このときのユーザが設定する時間は数段階に設定でき、それぞれの設定時間に対し異なった省電力制御状態を設定することができるように構成されている。
【０１２７】
図１０は、本実施の形態のＴＶ放送受信装置が実行する省電力制御によって表示装置７に表示された表示画面が遷移する状態を示す。
【０１２８】
同図に示すように、最初の通常表示画面から第１段階では画面を少しだけ暗くして、第２段階でさらに暗くするようにしている。
【０１２９】
ＣＰＵ４から明るさ調整装置２３に省電力制御命令が出力されると、明るさ調整装置２３は、表示装置７の表示の明るさを調整する。
【０１３０】
このとき、図１０に示すように何段階かの設定を行うことができるように構成されている。
【０１３１】
図１１は、本実施の形態のＴＶ放送受信装置が実行する省電力制御処理の手順を示すフローチャートである。
【０１３２】
本省電力制御処理では、第１段階で画面を暗くして、第２段階で表示をオフにする場合の制御処理を示している。
【０１３３】
同図において、最初に視聴者が席を離れ、センサ１が本実施の形態のＴＶ放送受信装置の前に視聴者がいないことを検知すると、ＣＰＵ４の命令によりタイマ２２が時間の計時を開始する（ステップＳ１）。
【０１３４】
もし、ユーザにより予め設定された第１の設定時間ｐ分が経過する前に視聴者が戻って来ると、タイマ２２はリセットされる。このとき、表示装置７の表示は何も変化しない（ステップＳ２→Ｓ８）。
【０１３５】
もし、ユーザにより予め設定された第１の設定時間ｐ分が経過し、且つ視聴者が戻って来ていない場合には、ＣＰＵ４から出力された命令により、明るさ調整装置２３は、表示装置７の輝度を落とす（ステップＳ２→Ｓ３）。
【０１３６】
次に、もし、ユーザにより予め設定された第２の設定時間ｑ分が経過する前に視聴者が戻って来ると、タイマ２２はリセットされる。このとき、表示装置７の表示は元の状態に戻される（ステップＳ２→Ｓ８）。
【０１３７】
もし、ユーザにより予め設定された第２の設定時間ｑ分が経過し、且つ視聴者が戻って来ていない場合には、ＣＰＵ４から出力された命令により、明るさ調整装置２３は表示装置７の輝度をさらに落とす。図示例では、ユーザにより予め輝度が“０”になるように設定されているので、表示装置７は真っ暗になり何も表示しなくなる（ステップＳ４→Ｓ５）。装置としては、表示装置７のドライバ等は依然として動作しているので、すぐに表示再開できる状態であるが、ユーザから見れば表示が消えて音声のみが聞こえている状態である。
【０１３８】
このとき、ｑ＞ｐであるとする。
【０１３９】
次に、もし、ユーザにより予め設定された第３の設定時間ｒ分が経過する前に視聴者が戻って来ると、タイマ２２はリセットされる。このとき、表示装置の表示は元の状態に戻される（ステップＳ２→Ｓ８）。
【０１４０】
もし、ユーザにより予め設定された第３の設定時間ｒ分が経過し、且つ視聴者が戻って来ていない場合は、ＣＰＵ４から出力された命令により、電源制御装置５はシステムのサブ電源をオフ状態にする。これにより、表示装置７のドライバの動作や音声も停止される。
【０１４１】
このとき、ｒ＞ｑであるとする。
【０１４２】
（第４の実施の形態）
図１２は、本発明の第４の実施の形態のＴＶ放送受信装置の概略構成を示すブロック図である。
【０１４３】
同図に示すように、本実施の形態のＴＶ放送受信装置は、上記図９の第３の実施の形態のＴＶ放送受信装置に対して、明るさ調整装置２３に代えてフレームレート変換装置２４を設けるようにした点のみが異なっている。したがって、図１２中、図９と同様の構成要素には同一符号を付し、その説明を省略する。
【０１４４】
同図において、ＣＰＵ４は、視聴者がいなくなるとタイマ２２に信号を出力し、タイマ２２を起動させる。この後、視聴者が戻って来たという情報がセンサ２２から伝達されるまで、タイマ２２は、経過時間をカウントする。視聴者が戻って来た場合は、その時点でタイマ２２はリセットされる。
【０１４５】
視聴者が戻って来ない場合は、ＣＰＵ４は、タイマ２２を監視し続け、ユーザが予め設定しておいた時間が経過すると、フレームレート変換装置２４に信号を出力して表示装置７に対する省電力制御を行う。
【０１４６】
このときのユーザが設定する時間は数段階に設定でき、それぞれの設定時間に対し異なった省電力制御状態を設定することができるように構成されている。
【０１４７】
図１３は、本実施の形態のＴＶ放送受信装置が実行する省電力制御処理を説明するための図である。
【０１４８】
同図において、左列の画面は通常画面、右列の画面はフレームレートを落とした場合の画面をそれぞれ表している。図示例では、フレームレートを１／２に落とした場合が示されている。通常画面では、第１のフレームが書かれたあと、第２のフレームの画像に書換えられる。しかし、フレームレートを落とした場合では、第１のフレームの後にもう一度第１のフレームが表示される。つまり、第１のフレームと第２のフレームの間の書換え処理が省かれ、第２のフレームが飛ばされた状態となる。以下同様に、第４、第６…のフレームを省くことにより、書き換え処理にかかる電力を抑制することが可能となる。
【０１４９】
（他の実施の形態）
本発明は、上記各実施の形態に限定されるものではなく、種々の改変状態で実施できる。たとえば、次のように変更できる。
【０１５０】
（１）上記第１の実施の形態のＴＶ放送受信装置と、上記第３の実施の形態のＴＶ放送受信装置とを組み合わせることにより、視聴者がいないときに表示装置に表示されるマルチ画面表示の明るさを、視聴者が席を離れている時間に応じて変更するようにしたＴＶ放送受信装置を構成することができる。
【０１５１】
（２）上記第１の実施の形態のＴＶ放送受信装置と、上記第４の実施の形態のＴＶ放送受信装置とを組み合わせることにより、視聴者がいないときに表示装置に表示されるマルチ画面表示の表示レートを、視聴者が席を離れている時間に応じて変更するようにしたＴＶ放送受信装置を構成することができる。
【０１５２】
（３）上記第２の実施の形態のＴＶ放送受信装置と、上記第３の実施の形態のＴＶ放送受信装置とを組み合わせることにより、視聴者がいないときに表示装置の表示画面の一部に表示される外部画像の明るさを、視聴者が席を離れている時間に応じて変更するようにしたＴＶ放送受信装置を構成することができる。
【０１５３】
（４）上記第２の実施の形態のＴＶ放送受信装置と、上記第４のＴＶ放送受信装置とを組み合わせることにより、視聴者がいないときに表示装置の表示画面の一部に表示される外部画像の表示レートを、視聴者が席を離れている時間に応じて変更するようにしたＴＶ放送受信装置を構成することができる。
【０１５４】
（５）上記第３の実施の形態のＴＶ放送受信装置と、上記第４の実施の形態のＴＶ放送受信装置とを組み合わせることにより、省電力モードに移行したときの表示装置の表示画面の明るさおよび表示レートを、視聴者が席を離れている時間に応じて変更するようにしたＴＶ放送受信装置を構成することができる。
【０１５５】
（６）上記第１の実施の形態のＴＶ放送受信装置と、上記（５）のＴＶ放送受信装置とを組み合わせることにより、番組が切り替わっていないとき、且つ視聴者がいないときに表示装置に表示されるマルチ画面表示の明るさおよび表示レートを、視聴者が席を離れている時間に応じて変更するようにしたＴＶ放送受信装置を構成することができる。
【０１５６】
（７）上記第２の実施の形態のＴＶ放送受信装置と、上記（５）のＴＶ放送受信装置とを組み合わせることにより、番組が切り替わったとき、且つ視聴者がいないときに表示装置の表示画面の一部に表示される外部画像の明るさおよび表示レートを、視聴者が席を離れている時間に応じて変更するようにしたＴＶ放送受信装置を構成することができる。
【０１５７】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【０１５８】
この場合、記憶媒体から読出されたプログラムコード自体が本発明の新規な機能を実現することになり、そのプログラムコードを記憶した記憶媒体は本発明を構成することになる。
【０１５９】
プログラムコードを供給するための記憶媒体としては、たとえば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。また、通信ネットワークを介してサーバコンピュータからプログラムコードが供給されるようにしてもよい。
【０１６０】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【０１６１】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【０１６２】
【発明の効果】
以上説明したように、本発明によれば、ユーザが見ているチャンネルの番組が終了して次の番組へ切り替わった場合や、ユーザが見ているチャンネルの番組は終了していないがユーザが所定の範囲内にいない場合に、ユーザが見ていたチャンネルの番組と共に、ユーザが見ていたチャンネルと異なるチャンネルの番組の映像を表示することで、ユーザが見ていたチャンネルの以外のチャンネルの番組を容易に把握することができる。
【０１６４】
さらに、快適なＴＶ放送の視聴を妨げることなく、効率的な電力制御が可能となる。
【図面の簡単な説明】
【図１】本発明の第１の実施の形態に係るＴＶ放送受信装置の概略構成を示すブロック図である。
【図２】図１のセンサの具体例を示す図である。
【図３】図１のセンサの他の具体例を示す図である。
【図４】図１の表示装置上に表示されたマルチ画面表示の一例を示す図である。
【図５】リモコンの外観の一例を示す図である。
【図６】図１のＴＶ放送受信装置が実行する制御状態の変化をまとめた図である。
【図７】本発明の第２の実施の形態に係るＴＶ放送受信装置の概略構成を示すブロック図である。
【図８】図７のＴＶ放送受信装置を適用したシステム構成の一例および、その表示装置上に表示された表示の一例を示す図である。
【図９】本発明の第３の実施の形態に係るＴＶ放送受信装置の概略構成を示すブロック図である。
【図１０】図９のＴＶ放送受信装置が実行する省電力制御によって表示装置に表示された表示画面が遷移する状態を示す図である。
【図１１】図９のＴＶ放送受信装置が実行する省電力制御処理の手順を示すフローチャートである。
【図１２】本発明の第４の実施の形態に係るＴＶ放送受信装置の概略構成を示すブロック図である。
【図１３】図１２のＴＶ放送受信装置が実行する省電力制御処理を説明するための図である。
【符号の説明】
１，１ａ，１ｂ  センサ
２  受光部
３  リモコン
３１  発光部
３２  テンキー
３３  アップダウンキー
３４  カーソルキー
４  ＣＰＵ
５  電源制御装置
６  表示制御装置
７  表示装置
７ａ  インターホン画面
８  第１のチューナ
９  第２のチューナ
１０  番組情報取得部
１１  メモリ
２１  外部画像入力装置
２２  タイマ
２３  明るさ調整装置
２４  フレームレート変換装置
１０１  インターホンカメラ
１０２  ドア
１０３  来訪者
【図１】
0004623615.tif 000002
【図２】
0004623615.tif 000003
【図３】
0004623615.tif 000004
【図４】
0004623615.tif 000005
【図５】
0004623615.tif 000006
【図６】
0004623615.tif 000007
【図７】
0004623615.tif 000008
【図８】
0004623615.tif 000009
【図９】
0004623615.tif 000010
【図１０】
0004623615.tif 000011
【図１１】
0004623615.tif 000012
【図１２】
0004623615.tif 000013
【図１３】
0004623615.tif 000014